(57)【要約】      （修正有）【課題】螺合型減圧弁下方に固定可能で、該螺合型減圧弁を携帯コンロ用ガスボンベに速やかに係止できる便利な携帯コンロ用ガスボンベと減圧弁のクイックコネクタ。【解決手段】本願のクイックコネクタは螺合型減圧弁１０下方に固定された固定部品２０と該固定部品に嵌合されるスライド部品３０を有し、該固定部品がガスボンベ口に挿入されるとき、バネ７０の弾力により該スライド部品が押動されて該固定部品上のスチールボール６０を押圧し、該スチールボールを該ガスボンベ４０の位置決めリング５０に嵌め止めし、携帯コンロ用ガスボンベと螺合型減圧弁の組合せを完成する。【選択図】図６
0003147953.tif 000002
【実用新案登録請求の範囲】
【請求項１】
携帯コンロ用ガスボンベと減圧弁のクイックコネクタにおいて、該クイックコネクタは、螺合型減圧弁下方に固定される固定部品と該固定部品に嵌合されるスライド部品で構成され、該ガスボンベ上部中央にガス出口があり、該ガス出口外周にディスク状外形の位置決めリングが設けられ、該位置決めリング内周に環状溝があり、
該固定部品は中空円管状を呈し、外周サイズにより上固定部と該上固定部より外周が大きく上固定部との間に段差を形成する下固定部を有し、該上固定部に螺合型減圧弁が固定され、該下固定部はガスボンベの該位置決めリング中に挿入され、該下固定部の段差周囲に下向きに複数の挿入溝が設けられ、各挿入溝内部にスチールボールが設けられ、凹孔が該下固定部の外側管壁を貫通するように設けられ、該凹孔の外径は該スチールボールより小さく、該スチールボールの側辺を該下固定部の外側管壁より突出させて脱落させず、
該スライド部品は該上固定部に嵌合され、該スライド部品の底部は該下固定部の上方に当接し、該スライド部品の内部に環状平台が設けられ、該平台の上面にバネが設置され、該バネの底端が該平台に当接し、上端が該螺合型減圧弁の底部に当接し、該スライド部品を下向きに押動して底部を下固定部の上方に当接させ、
該スライド部品の底部に該下固定部の挿入溝に対応して延伸された複数の挿入端が設けられ、該固定部品の該下固定部が該位置決めリングに挿入される時、該挿入端が該下固定部の挿入溝内に挿入され、該挿入溝内のスチールボールを外向きに押して、スチールボールを凹孔中に制限し、一部分を該下固定部の外周より突出させ、且つ突出部分を該位置決めリングの内周の環状溝内に嵌入させ、バネを介して該スライド部品を下向きに押して、該挿入端を該スチールボールを外向きに押す位置を保持させることで、該固定部品を該位置決めリングに係止し、並びに該螺合型減圧弁を該固定部品とスライド部品によりガスボンベと速やかに結合させることを特徴とする携帯コンロ用ガスボンベと減圧弁のクイックコネクタ。
【請求項２】
請求項１記載の携帯コンロ用ガスボンベと減圧弁のクイックコネクタにおいて、該スライド部品の外形が中空円管状であることを特徴とする携帯コンロ用ガスボンベと減圧弁のクイックコネクタ。
【請求項３】
請求項１記載の携帯コンロ用ガスボンベと減圧弁のクイックコネクタにおいて、該ガス出口に該ガスボンベ内に設置されたＬ形管が接続され、該位置決めリングの側辺に該Ｌ形管の管口方向に対応する識別用切欠きが設けられ、該スライド部品の底部より該識別用切欠きに挿入される位置決めブロックが延伸されたことを特徴とする携帯コンロ用ガスボンベと減圧弁のクイックコネクタ。
【請求項４】
請求項３記載の携帯コンロ用ガスボンベと減圧弁のクイックコネクタにおいて、該スライド部品の上端に減圧弁のガス放出管を収容する切欠きが設けられ、該ガス放出管と該識別用切欠き及び位置決めブロックが固定角度を保持させられることを特徴とする携帯コンロ用ガスボンベと減圧弁のクイックコネクタ。
【請求項５】
請求項１記載の携帯コンロ用ガスボンベと減圧弁のクイックコネクタにおいて、該挿入端の側面が、該スチールボールの外形に対応し半円形を呈する内凹状とされ、下側に該挿入端の該挿入溝への挿入に便利な斜面が設けられたことを特徴とする携帯コンロ用ガスボンベと減圧弁のクイックコネクタ。
【請求項６】
請求項１記載の携帯コンロ用ガスボンベと減圧弁のクイックコネクタにおいて、該スライド部品の管壁外側より該スライド部品の押し上げ操作に便利な施力部が延伸されたことを特徴とする携帯コンロ用ガスボンベと減圧弁のクイックコネクタ。
【請求項７】
請求項６記載の携帯コンロ用ガスボンベと減圧弁のクイックコネクタにおいて、該施力部の外形は翼状を呈することを特徴とする携帯コンロ用ガスボンベと減圧弁のクイックコネクタ。
【請求項８】
請求項１記載の携帯コンロ用ガスボンベと減圧弁のクイックコネクタにおいて、該固定部品の内周の、ガス出口周囲に対応する位置にシールリングが設けられ、該ガスボンベのガス出口に嵌合されて組合せ後のガス漏れを防止することを特徴とする携帯コンロ用ガスボンベと減圧弁のクイックコネクタ。
【請求項９】
請求項１記載の携帯コンロ用ガスボンベと減圧弁のクイックコネクタにおいて、該スライド部品にマークが設けられたことを特徴とする携帯コンロ用ガスボンベと減圧弁のクイックコネクタ。
【考案の詳細な説明】
【技術分野】
【０００１】
本考案は螺合型減圧弁を速やかに携帯コンロ用ガスボンベに係止できる便利なクイックコネクタに関する。
【背景技術】
【０００２】
仕事のストレス解消のため、多くの人が休日には屋外に出かけ、携帯コンロを持参して自炊を楽しんでいる。現在市販されている携帯コンロ用ガスボンベには二種類の規格があり、そのうち一種類は図１に示される螺合型ガスボンベ１であり、その口部にネジ山が設けられ、螺合型減圧弁２と螺合される。もう一種類は図２、３に示されるカセットコンロ用ガスボンベ３であり、このカセットコンロ用ガスボンベ３の開口には位置決めリング４が設けられ、位置決めリング４が嵌止型減圧弁５と緊密に嵌合させられることにより、嵌止型減圧弁５がカセットコンロ用ガスボンベ３に固定される。
【０００３】
上述の２種類の異なる接合方式の携帯コンロ用ガスボンベ中、螺合型ガスボンベの使用が比較的普及しているが、このような螺合型ガスボンベに使用されている螺合型減圧弁２はそのままカセットコンロ用ガスボンベ３に使用することはできず、メーカーと使用者の双方にとって相当に不便である。
【０００４】
このほか、携帯コンロ用ガスボンベは一般に軽薄短小で、携帯に便利であることが要求され、通常、コンロとの距離は比較的短く、取付け時に空間上の制限がある。これにより使用時には通常平置きされるか斜め置きされ、こうして携帯コンロ用ガスボンベが使用開始されると、ボンベ内の圧力が比較的大きいためにガスが噴出する現象が発生しやすく、安全に影響が生じる。
【０００５】
図３、４に示されるように、ガスの噴出の現象を防止するため、通常、ガスボンベ内にＬ形管６が設けられ、ボンベ口の位置決めリング４に該Ｌ形管６に対応する識別用の切欠き７が設けられている。この切欠き７の方向に基づき、ガスボンベを平置き或いは斜め置きする時、ガスボンベ内のＬ形管６の管口を上向きとして、ガス満タン時の出気圧力を緩和することができる。この点はガスボンベと螺合型減圧弁の間の接合構造を設計する時、併せて考慮されるべきである。
【考案の開示】
【考案が解決しようとする課題】
【０００６】
このことから、本考案は一種の携帯コンロ用ガスボンベと減圧弁のクイックコネクタを提供し、螺合型減圧弁もカセットコンロ用ガスボンベに取付けられるようにし、並びに認識用切欠き７の構造により、使用者にＬ形管６の管口を上向きとするように指示できるようにする。
【０００７】
本考案は、一種の携帯コンロ用ガスボンベと減圧弁のクイックコネクタを提供することを目的とし、それは螺合型減圧弁の下方に固定可能で、該螺合型減圧弁を速やかに便利にカセットコンロ用ガスボンベに取付けられるようにする。
【課題を解決するための手段】
【０００８】
本考案の携帯コンロ用ガスボンベと減圧弁のクイックコネクタは、螺合型減圧弁下方に固定される固定部品と該固定部品に嵌合されるスライド部品で構成され、そのうち、ガスボンベ上部中央にガス出口があり、ガス出口にガスボンベ内に設置されたＬ形管が接続され、該ガス出口外周にディスク状外形の位置決めリングが繞設されている。
【０００９】
上述の位置決めリング内周に環状溝があり、側辺に前述のＬ形管の管口方向に対応する識別用切欠きがあり、該ガスボンベを平置きするか或いは斜め置きする時、該識別用切欠きの位置により適宜角度調整してＬ形管管口を上向きとすることで、該ガスボンベが満タン時の出気圧力を緩和できる。
【００１０】
前述の螺合型減圧弁の側辺にガス放出管が設けられ、底部は円管状を呈して雄ネジを具えて該固定部品を固定できる。該固定部品は円管状を呈し、外径のサイズにより段差のある二つの部分が形成され、それぞれ外径が比較的小さい上固定部、及び外径が比較的大きい下固定部とされ、該上固定部内周に雌ネジが設けられて螺合型減圧弁の雄ネジと螺合可能で、これにより該固定部品が螺合型減圧弁に固定される。
【００１１】
前述の固定部品の下固定部はガスボンベの該位置決めリング中に挿入可能であり、該下固定部の段差周囲に下向きに複数の挿入溝が設けられ、各挿入溝内部にスチールボールが設置され、並びに下固定部の外側管壁を貫通する凹孔が設けられ、該凹孔の外径は該スチールボールよりやや小さく、これによりスチールボールを該下固定部の外側管壁より突出させるが脱落させない。
【００１２】
実施時には、固定部品の内周のガス出口周囲に対応する位置に、シールリングを設置可能で、固定部品がガスボンベのガス出口に嵌合される時、組合せ後のガス漏れを防止する。
【００１３】
前述のスライド部品の外径は中空円管状を呈して該上固定部に嵌合され、底部は該下固定部の上方に当接し、該スライド部品の内部に環状平台が設けられ、該平台の上面にバネが設置され、該バネの底端は該平台に当接し、上端は螺合型減圧弁の底部に当接し、該スライド部品を下向きに押して該スライド部品の底部を該下固定部の上方に圧接させる。
【００１４】
該スライド部品の底部に該下固定部の挿入溝に対応して延伸された複数の挿入端が設けられ、該固定部品の該下固定部が該位置決めリングに挿入される時、該挿入端が該下固定部の挿入溝内に挿入され、該挿入溝内のスチールボールを外向きに押して、スチールボールを凹孔中に制限し、一部分を該下固定部の外周より突出させ、且つ突出部分を該位置決めリングの内周の環状溝内に嵌入させ、バネを介して該スライド部品を下向きに押して、該挿入端を該スチールボールを外向きに押す位置を保持させることで、該固定部品を該位置決めリングに係止し、並びに該螺合型減圧弁を該固定部品とスライド部品によりガスボンベと速やかに結合させる。
【００１５】
実施時には、前述の挿入端の側面はスチールボールの外形に合わせて半円形の内凹状を呈し、下側に斜面を設置可能で、該挿入端が該挿入溝に挿入される時、スチールボールを該凹孔中に至らせてスチールボールを位置制限するのに便利である。
【００１６】
ガスボンベと螺合型減圧弁を分離する時は、ただ固定部品に組み合わされたスライド部品を上向きに押動してバネを圧縮し、並びにスライド部品の挿入端を固定部品の挿入溝より分離させれば、スチールボールはそれ以上凹孔中に位置制限されず、並びに環状溝との嵌合状態が解消され、固定部品とガスボンベの固定が解除され、固定部品が位置決めリングより離れ、固定部品が螺合型減圧弁に螺合されてカセットコンロ用ガスボンベより取り外される。
【００１７】
実施時には、スライド部品の管壁外側より翼状に突出する施力部が延伸され、使用者が該スライド部品を上に押し上げて、固定部品とガスボンベとの固定を解除するのに便利である。
【００１８】
前述のスライド部品の底部に、識別用切欠きの位置に対応するように位置決めブロックを設置可能であり、該スライド部品の上端に収容切欠きが設けられて螺合型減圧弁のガス放出管をはめ込め、固定部品が螺合型減圧弁に螺合される時、ガス放出管と位置決めブロックの間が一定角度を呈するものとされる。固定部品と位置決めリング結合時、該位置決めブロックが該識別用切欠きに嵌入され、該識別用切欠きも該ガス放出管と固定角度を保持させられ、これにより、使用者が速やかにガス放出管の位置により、ガスボンベ内のＬ形管の管口が上向きか否かを識別でき、安全目的を達成する。
【考案の効果】
【００１９】
周知の技術と比較すると、本考案のクイックコネクタと螺合型減圧弁の螺合後、カセットコンロ用ガスボンベに取り付ける時、ただ固定部品をビン口の位置決めリングに嵌めこめば、バネがスライド部品を押して固定部品に挿入し、並びに固定部品中のスチールボールを押動して位置決めリング内周の環状溝に嵌め込み、こうしてカセットコンロ用ガスボンベと螺合型減圧弁の快速結合が完成する。取り外し時には、上向きにスライド部品を押し上げて、固定部品とカセットコンロ用ガスボンベの係合状態を解除すればカセットコンロ用ガスボンベと螺合型減圧弁を分離できる。このほか、スライド部品の位置決めブロック及びそれを収容する切欠きの設計により、使用者がガスボンベのＬ形管が上向きか否かを識別するのに便利で、使用上、相当に安全で便利で快速である。
【考案を実施するための最良の形態】
【００２０】
図５から図７に示されるように、本考案の携帯コンロ用ガスボンベと減圧弁のクイックコネクタは、螺合型減圧弁１０下方に固定される固定部品２０と該固定部品２０に嵌合されるスライド部品３０で構成され、そのうち、ガスボンベ４０上部中央にガス出口４１があり、ガス出口４１にガスボンベ４０内に設置されたＬ形管４２が接続され、該ガス出口４１外周にディスク状外形の位置決めリング５０が繞設されている。
【００２１】
上述の位置決めリング５０内周に環状溝５１があり、側辺に前述のＬ形管４２の管口方向に対応する識別用切欠き５２があり、該ガスボンベ４０を平置きするか或いは斜め置きする時、該識別用切欠き５２の位置により適宜角度調整してＬ形管４２管口を上向きとすることで、該ガスボンベ４０が満タン時の出気圧力を緩和できる。
【００２２】
前述の螺合型減圧弁１０の側辺にガス放出管１１が設けられ、底部は円管状を呈して雄ネジ１２を具えて該固定部品２０を固定できる。該固定部品２０は円管状を呈し、外径のサイズにより段差のある二つの部分が形成され、それぞれ外径が比較的小さい上固定部２１、及び外径が比較的大きい下固定部２２とされ、該上固定部２１内周に雌ネジ２１１が設けられて螺合型減圧弁１０の雄ネジ１２と螺合可能で、これにより該固定部品２０が螺合型減圧弁１０に固定される。
【００２３】
前述の固定部品２０の下固定部２２はガスボンベ４０の該位置決めリング５０中に挿入可能であり、該下固定部２２の段差周囲に下向きに複数の挿入溝２２１が設けられ、各挿入溝２２１内部にスチールボール６０が設置され、並びに下固定部２２の外側管壁を貫通する凹孔が設けられ、該凹孔の外径は該スチールボール６０よりやや小さく、これによりスチールボール６０を該下固定部２２の外側管壁より突出させるが脱落させない。
【００２４】
実施時には、固定部品２０の内周のガス出口４１周囲に対応する位置に、シールリング２３が設けられ、固定部品２０がガスボンベ４０のガス出口４１に嵌合される時、組合せ後のガス漏れを防止する。
【００２５】
前述のスライド部品３０の外径は中空円管状を呈して該上固定部２１に嵌合され、底部は該下固定部２２の上方に当接し、該スライド部品３０の内部に環状平台が設けられ、該平台の上面にバネが設置され、該バネの底端は該平台に当接し、上端は螺合型減圧弁１０の底部に当接し、該スライド部品３０を下向きに押して該スライド部品３０の底部を該下固定部２２の上方に圧接させる。
【００２６】
該スライド部品３０の底部に該下固定部２２の挿入溝２２１に対応して延伸された複数の挿入端が設けられ、該固定部品２０の該下固定部２２が該位置決めリング５０に挿入される時、該挿入端が該下固定部２２の挿入溝２２１内に挿入され、該挿入溝２２１内のスチールボール６０を外向きに押して、スチールボール６０を凹孔２２２中に制限し、一部分を該下固定部２２の外周より突出させ、且つ突出部分を該位置決めリング５０の内周の環状溝５１内に嵌入させ、バネを介して該スライド部品３０を下向きに押して、該挿入端を該スチールボール６０を外向きに押す位置を保持させることで、該固定部品２０を該位置決めリング５０に係止し、並びに該螺合型減圧弁１０を該固定部品２０とスライド部品３０によりガスボンベ４０と速やかに結合させる。
【００２７】
実施時には、前述の挿入端の側面はスチールボール６０の外形に合わせて半円形の内凹状を呈し、下側に斜面を設置可能で、該挿入端が該挿入溝２２１に挿入される時、スチールボール６０を該凹孔２２２中に至らせてスチールボール６０を位置制限するのに便利である。
【００２８】
ガスボンベ４０と螺合型減圧弁１０を分離する時は、ただ固定部品２０に組み合わされたスライド部品３０を上向きに押動してバネを圧縮し、並びにスライド部品３０の挿入端を固定部品２０の挿入溝２２１より分離させれば、スチールボール６０はそれ以上凹孔２２２中に位置制限されず、並びに環状溝５１との嵌合状態が解消され、固定部品２０とガスボンベ４０の固定が解除され、固定部品２０が位置決めリング５０より離れ、固定部品２０が螺合型減圧弁１０に螺合されてガスボンベより取り外される。
【００２９】
実施時には、スライド部品３０の管壁外側より翼状に突出する施力部３５が延伸され、使用者が該スライド部品３０を上に押し上げて、固定部品２０とガスボンベ４０との固定を解除するのに便利である。
【００３０】
このほか、前述のスライド部品３０の底部に、識別用切欠き５２の位置に対応するように位置決めブロックを設置可能であり、該スライド部品３０の上端に収容切欠きが設けられて螺合型減圧弁１０のガス放出管１１をはめ込め、固定部品２０が螺合型減圧弁１０に螺合される時、ガス放出管１１と位置決めブロックの間が一定角度を呈するものとされる。固定部品２０と位置決めリング５０結合時、該位置決めブロックが該識別用切欠き５２に嵌入され、該識別用切欠き５２も該ガス放出管１１と固定角度を保持させられ、これにより、使用者が速やかにガス放出管１１の位置により、ガスボンベ４０内のＬ形管４２の管口が上向きか否かを識別でき、安全目的を達成する。
【００３１】
このほか、スライド部品３０にガスボンベ４０を正確に使用するための文字、マークが３６が設けられ、これにより使用者がさらに安全にカセットコンロ用ガスボンベ４０を使用できるようにする。
【図面の簡単な説明】
【００３２】
【図１】周知の螺合型ガスボンベと螺合型減圧弁の立体図である。
【図２】周知のカセットコンロ用ガスボンベの立体図である。
【図３】周知のカセットコンロ用ガスボンベと減圧弁の立体図（一）である。
【図４】周知のカセットコンロ用ガスボンベと減圧弁の立体図（二）である。
【図５】本考案の組合せ完成図である。
【図６】本考案の立体分解図である。
【図７】本考案の組立断面図である。
【符号の説明】
【００３３】
１０  螺合型減圧弁          １１  ガス放出管
１２  雄ネジ                ２０  固定部品
２１  上固定部              ２１１  雌ネジ
２２  下固定部              ２２１  挿入溝
２２２  凹孔                ２３  シールリング
３０  スライド部品          ３１  平台
３２  挿入端                ３３  位置決めブロック
３４  切欠き                ３５  施力部
３６  マーク                ４０  ガスボンベ
４１  ガス出口              ４２  Ｌ形管
５０  位置決めリング        ５１  環状溝
５２  識別用切欠き          ６０  スチールボール
７０  バネ
【図１】
0003147953.tif 000003
【図２】
0003147953.tif 000004
【図３】
0003147953.tif 000005
【図４】
0003147953.tif 000006
【図５】
0003147953.tif 000007
【図６】
0003147953.tif 000008
【図７】
0003147953.tif 000009